(57)【要約】【課題】耐久性に優れ、部品数が少なく安価なトルク変動吸収ダンパを提供する。【解決手段】カップリング部２が、ハブ１のリム部１ｃにベアリング４を介して支持されたプーリ２１からハブ１の軸方向一側へ延在されたフランジ部２１ｃを、ハブ１に第一弾性体２２を介して弾性的に連結したものであり、動的吸振部３が、ハブ１の軸方向他側に配置された環状質量体３１をハブ１に第二弾性体３２を介して弾性的に連結したものである。ハブ１のリム部１ｃの端部に形成された突起部１ｅが、プーリ２１のフランジ部２１ｃと反対側の端部に形成された切欠部２１ｆに円周方向適当なクリアランスをもって遊嵌され、ハブ１とプーリ２１の円周方向相対変位を制限している。【選択図】  図１
2004340169.tif 000002
【特許請求の範囲】
【請求項１】
ハブ（１）と、このハブ（１）に設けられたカップリング部（２）及び動的吸振部（３）とを備え、前記カップリング部（２）が、前記ハブ（１）に同心的かつ円周方向相対回転可能に支持されたプーリ（２１）から前記ハブ（１）の軸方向一側へ延在されたフランジ部（２１ｃ）を、前記ハブ（１）に第一弾性体（２２）を介して弾性的に連結したものであり、前記動的吸振部（３）が、前記ハブ（１）の軸方向他側に配置された環状質量体（３１）を前記ハブ（１）に第二弾性体（３２）を介して弾性的に連結したものであることを特徴とするトルク変動吸収ダンパ。
【請求項２】
ハブ（１）におけるリム部（１ｃ）の端部に形成された突起部（１ｅ）が、プーリ（２１）におけるフランジ部（２１ｃ）と反対側の端部に形成された切欠部（２１ｆ）に円周方向適当なクリアランス（δ）をもって遊嵌されたことを特徴とする請求項１に記載のトルク変動吸収ダンパ。
【発明の詳細な説明】
【０００１】
【発明の属する技術分野】
本発明は、プーリを介してトルクを伝達すると共にそのトルクの変動を吸収するトルク変動吸収ダンパに関する。
【０００２】
【従来の技術】
車両の内燃機関による駆動力の一部は、クランクシャフトの先端に設けられたプーリから無端ベルトを介して例えばオルタネータやウォーターポンプ等の補機に与えられるが、クランクシャフトは内燃機関の各行程によるトルク変動を伴って回転されるので、前記プーリにはトルク変動を吸収して伝達トルクの平滑化を図るためのトルク変動吸収ダンパが用いられる。
【０００３】
トルク変動吸収ダンパの典型的な従来例としては、例えば下記の特許文献１に記載されているように、クランクシャフトの軸端に固定されて一体に回転するハブに形成された内筒部と、プーリの内筒部とを、ゴム状弾性材料からなる第一弾性体を介して弾性的に連結し、前記プーリの内筒部よりも外周側に位置するハブの外筒部と、その外周側に前記プーリに囲まれた状態で配置された環状質量体とを、ゴム状弾性材料からなる第二弾性体を介して連結した構造を有するデカップルド・ダンパープーリが知られている。
【０００４】
特許文献１に記載されたトルク変動吸収ダンパ（デカップルド・ダンパープーリ）は、クランクシャフトからハブへ入力された駆動トルクを、第一弾性体の円周方向剪断変形作用によってトルク変動を吸収しながら、プーリへ伝達すると共に、第二弾性体と環状質量体で構成される副振動系が、所定の振動数域において円周方向へ共振することによる動的吸振効果によって、クランクシャフトの捩り振動を低減するものである。また、ハブとプーリの円周方向相対変位は、環状質量体に設けたストッパピンと、プーリに開設した長孔との干渉によって制限し、第一弾性体の過大変形による破損を防止している。
【０００５】
【特許文献１】
実用新案登録第２６０５６６２号（第１図）
【０００６】
【発明が解決しようとする課題】
しかし、上記従来のトルク変動吸収ダンパによれば、ハブとプーリを連結している第一弾性体と、ハブと環状質量体を連結している第二弾性体が、径方向に並んで配置された構造であるため、ハブとプーリとの連結方向（径方向）に対する第一弾性体の肉厚を大きくすることができない。このため、ハブとプーリとの間で変形を受けた時の第一弾性体の歪が大きくなり、その耐久性が悪化しやすい問題がある。
【０００７】
また、第二弾性体と環状質量体が、プーリに断面コ字形に囲まれた状態で配置されているため、振動エネルギを熱エネルギに変換することにより振動減衰を行う第二弾性体からの放熱が妨げられ、蓄熱により第二弾性体が劣化しやすい問題がある。
【０００８】
更に、従来のトルク変動吸収ダンパによれば、ハブとプーリの円周方向相対変位を制限することにより第一弾性体の過大変形による破損を防止する手段として、環状質量体にストッパピンを設けており、構成部品が多いため、製造コストが高いものとなっていた。
【０００９】
本発明は、上述のような問題に鑑みてなされたもので、その技術的課題は、耐久性に優れたトルク変動吸収ダンパを提供することにある。また、他の技術的課題は、部品数が少なく安価なトルク変動吸収ダンパを提供することにある。
【００１０】
【課題を解決するための手段】
上述した技術的課題を有効に解決するための手段として、請求項１の発明に係るトルク変動吸収ダンパは、ハブと、このハブに設けられたカップリング部及び動的吸振部とを備え、前記カップリング部が、前記ハブに同心的かつ円周方向相対回転可能に支持されたプーリから前記ハブの軸方向一側へ延在されたフランジ部を、前記ハブに第一弾性体を介して弾性的に連結したものであり、前記動的吸振部が、前記ハブの軸方向他側に配置された環状質量体を前記ハブに第二弾性体を介して弾性的に連結したものである。
【００１１】
請求項２の発明に係るトルク変動吸収ダンパは、請求項１に記載の構成において、ハブにおけるリム部の端部に形成された突起部が、プーリにおけるフランジ部と反対側の端部に形成された切欠部に円周方向適当なクリアランスをもって遊嵌されたものである。
【００１２】
【発明の実施の形態】
図１は、本発明に係るトルク変動吸収ダンパの好ましい第一の形態を、その軸心Ｏを通る平面で切断して示す断面図、図２は、図１におけるＩＩ方向の矢視図、図３は、図１のトルク変動吸収ダンパの組立過程を示す説明図である。なお、以下の説明において用いられる「正面側」とは、図１における左側のことであって、請求項１に記載された「軸方向一側」に相当し、「背面側」とは、図１における右側のことであって、請求項１に記載された「軸方向他側」に相当する。
【００１３】
第一の形態によるトルク変動吸収ダンパは、図１及び図２に示されるように、内燃機関のクランクシャフトの軸端に取り付けられるハブ１と、このハブ１にベアリング４を介して同心的かつ円周方向相対回転可能に支持されたプーリ２１からハブ１の正面側に延在されたフランジ部２１ｃをハブ１に第一弾性体２２を介して弾性的に連結したカップリング部２と、ハブ１の背面側に配置された環状質量体３１をハブ１に第二弾性体３２を介して弾性的に連結した動的吸振部３と、を備える。
【００１４】
ハブ１は、金属板の打ち抜きプレス成形により製作されたものであって、内周に、図示されていない内燃機関のクランクシャフトが挿通される軸孔１ｂが開設された円盤部１ａと、その外周端部から背面側へ筒状に延びるリム部１ｃとを有し、すなわち軸心Ｏを通る平面で切断した断面形状（図１の断面形状）が略Ｌ字形を呈する。また、円盤部１ａには複数の小孔１ｄが、円周方向等間隔で開設され、リム部１ｃの背面側の端部には、背面側へ向けて突出した複数の突起部１ｅが、円周方向等間隔で形成されている。
【００１５】
プーリ２１は、金属板の打ち抜きプレス成形及び機械加工等により製作されたものであって、ハブ１におけるリム部１ｃの外周側に位置し、外周面にポリＶ溝２１ｂが形成されたプーリ本体部２１ａと、その正面側の端部から内周へ延びるフランジ部２１ｃとを有する。このフランジ部２１ｃは、ハブ１における円盤部１ａの正面側に位置しており、内周側ほど前記円盤部１ａへ接近する緩やかなテーパ状に形成され、複数の小孔２１ｄが、円周方向等間隔で開設されている。
【００１６】
第一弾性体２２は、耐熱性、耐寒性及び機械的強度に優れたゴム状弾性材料からなるものであって、環状に連続しており、ハブ１における円盤部１ａと、プーリ２１におけるフランジ部２１ｃの間に一体的に加硫接着されている。この第一弾性体２２は、所要の径方向肉厚を有することによって、トルク伝達に必要な強度が確保されると共に、連結方向（軸方向）に所要の肉厚を有することによって円周方向剪断ばね定数を十分に低くしてある。また、プーリ２１におけるフランジ部２１ｃが緩やかなテーパ状をなすため、円周方向へ剪断変形を受けた時の歪が内周側と外周側とでほぼ均一になるように、外周側で軸方向肉厚が大きくなる形状となっている。
【００１７】
また、プーリ２１におけるプーリ本体部２１ａの背面側の端部には、内周側へ屈曲したカシメ部２１ｅが形成されており、このカシメ部２１ｅには、複数の切欠部２１ｆが円周方向等間隔で形成されている。そして、ハブ１におけるリム部１ｃに形成された複数の突起部１ｅは、それぞれ前記切欠部２１ｆに、円周方向両側への適当なクリアランスδ（図２参照）をもって遊嵌されている。すなわち、突起部１ｅと切欠部２１ｆは、円周方向への互いの干渉によって、ハブ１とプーリ２１の円周方向相対変位を制限して、第一弾性体２２の過大な捩り変形を防止するものであり、このため、クリアランスδは、通常の運転状態におけるハブ１とプーリ２１の相対変位量や、第一弾性体２２の歪を考慮して適切に設定される。
【００１８】
環状質量体３１は、ＦＣなど、比重の大きい金属材料で製作されたものであって、ハブ１における円盤部１ａの背面側かつリム部１ｃの内周側に、同心的に配置されており、前記円盤部１ａと対向する端面３１ａは、内周側ほど前記円盤部１ａへ接近する緩やかなテーパ状、言い換えればプーリ２１におけるフランジ部２１ｃと略対称のテーパ状に形成されている。
【００１９】
第二弾性体３２は、耐熱性、耐寒性及び機械的強度に優れたゴム状弾性材料からなるものであって、環状に連続しており、ハブ１における円盤部１ａ及びリム部１ｃと、環状質量体３１の端面３１ａ及び内外周面との間に一体的に加硫接着されている。すなわちこの第二弾性体３２は、軸心Ｏを通る平面で切断した断面形状（図１の断面形状）が略Ｌ字形を呈し、ハブ１の円盤部１ａと環状質量体３１の端面３１ａとの間の部分は、環状質量体３１の端面３１ａが緩やかなテーパ状をなすことによって、円周方向へ剪断変形を受けた時の歪が内周側と外周側とでほぼ均一になるように、外周側で軸方向肉厚が大きくなる形状となっている。
【００２０】
環状質量体３１と第二弾性体３２とで構成される動的吸振部３の円周方向固有振動数は、環状質量体３１の円周方向慣性質量と、第二弾性体３２の円周方向剪断ばね定数によって、クランクシャフトの捩れ角が最大となる所定の振動数域、言い換えればクランクシャフトの円周方向固有振動数と合致するように同調されている。
【００２１】
第一弾性体２２と第二弾性体３２は、ハブ１における円盤部１ａの軸方向両側に位置し、この円盤部１ａに開設された複数の小孔１ｄを通じて、互いに連続しており、円盤部１ａの内周部は、第一弾性体２２及び第二弾性体３２より内周側へ露出している。また、プーリ２におけるフランジ部２１ｃに開設された複数の小孔２１ｄには、それぞれ第一弾性体２２を形成しているゴム状弾性材料の一部が充填されている。
【００２２】
プーリ２１をハブ１に円周方向相対変位可能に同心支持するベアリング４は、ＰＴＦＥ等の耐摩耗性に優れた低摩擦係数の合成樹脂材料で環状（円筒状）に成形されたものであって、プーリ２１におけるプーリ本体部２１ａの内周面と、ハブ１におけるリム部１ｃの外周面との間に介在されている。また、このベアリング４は、プーリ２１におけるカシメ部２１ｅによって、背面側への脱落が防止されている。
【００２３】
以上の構成を具えるトルク変動吸収ダンパは、図３に示されるように、カップリング部２及び動的吸振部３が、一つの加硫成形体Ａをなしている。そしてこの加硫成形体Ａの製造に際しては、まず図示されていない金型内に、加硫接着剤を塗布したハブ１、プーリ２１及び環状質量体３１を、互いに同心的にセットする。このとき、プーリ２１には図１及び図２に示されるようなカシメ部２１ｅは形成されておらず、図３に示されるように、プーリ２１は、複数の切欠部２１ｆ’が円周方向等間隔で形成された被カシメ部２１ｅ’が、プーリ本体部２１ａから背面側へ延在されている。また、ハブ１における各突起部１ｅと、各被カシメ部２１ｅ’における各切欠部２１ｆ’が、互いに同位相上に位置するように、円周方向に対するハブ１とプーリ２１の位置決めを行う。
【００２４】
ハブ１における円盤部１ａとプーリ２におけるフランジ部２１ｃとの間に金型によって画成された第一弾性体成形用キャビティと、ハブ１における円盤部１ａと環状質量体３１との間に前記金型によって画成された第二弾性体成形用キャビティは、円盤部１ａに開設された複数の小孔１ｄを介して連通している。このため、プーリ２のフランジ部２１ｃに開設された小孔２１ｄを介して、ハブ１とプーリ２との間の第一弾性体成形用キャビティへ未加硫ゴム材料を充填して行くと、この未加硫ゴム材料は、小孔１ｄを通じて、ハブ１と環状質量体３１との間の第二弾性体成形用キャビティにも充填される。そして、両キャビティに充填した未加硫ゴム材料を加熱・加圧することによって、第一弾性体２２及び第二弾性体３２が、加硫成形と同時に前記ハブ１とプーリ２及び環状質量体３１に加硫接着され、図３に示される加硫成形体Ａとなる。
【００２５】
次に、ベアリング４を、ハブ１におけるリム部１ｃとプーリ２におけるプーリ本体部２１ａとの間の円筒状空間Ｓ内に挿入し、被カシメ部２１ｅ’を、内周側へ屈曲させるカシメを行うことによって、図１及び図２に示されるトルク変動吸収ダンパが得られる。
【００２６】
したがって、上述の形態によるトルク変動吸収ダンパは、第一弾性体２２及び第二弾性体３２を一度の工程で双方同時に加硫成形（加硫接着）することができることや、第一弾性体２２の過大変形を防止するストッパとしての手段に、ハブ１に形成した突起部１ｅとプーリ２に形成した切欠部２１ｆによって構成しているため、従来の技術のようにピンなどを用いる場合に比較して、部品数が少なくなることや、ハブ１及びプーリ２が金属板のプレス成形品であること等から、製造コストが著しく低減され、安価に提供することができる。
【００２７】
上述の形態によるトルク変動吸収ダンパは、ハブ１が内燃機関のクランクシャフトの軸端に装着されることによって、このクランクシャフトと共に回転される。クランクシャフトの駆動トルクは、カップリング部２によって、ハブ１から第一弾性体２２を介してプーリ２１へ伝達され、更に、プーリ本体部２１ａのポリＶ溝２１ｂに巻き掛けられたＶベルト（不図示）を介して、冷却ファンや、オルタネータ、ウォーターポンプ、空調機コンプレッサ等の補機の回転軸に伝達される。
【００２８】
プーリ２１は、その最も外周側にあるプーリ本体部２１ａが、ハブ１における最も外周側のリム部１ｃに、ベアリング４を介して支持されているため、その支持円周が大きく、したがって極めて安定的に支持され、同心性が確保される。
【００２９】
内燃機関の駆動は、吸気、圧縮、爆発及び排気の各行程を繰り返しながら行われ、ピストンの往復運動をクランクシャフトの回転運動に変換しているため、クランクシャフトには、回転に伴って周期的なトルク変動を生じるが、このトルク変動は、カップリング部２における第一弾性体２２が低ばねで円周方向へ剪断変形されることによって、熱エネルギに変換されるので、ベルトへの伝達トルクが平滑化される。また、環状質量体３１及び第二弾性体３２で構成される動的吸振部３は、クランクシャフトの捩り振動による捩れ角が最大となる振動数域で円周方向に共振し、その共振によるトルクは入力振動のトルクと方向が逆になるため、クランクシャフトの捩れ角のピークを有効に低減することができる。したがって、トルク変動に起因するプーリ本体部２１ａとベルトとの摩擦が低減され、ベルトの寿命を向上することができる。
【００３０】
また、何らかの原因によって、ハブ１とプーリ２１の間に過大なトルクが作用した場合には、突起部１ｅと切欠部２１ｆが円周方向へ互いに干渉することによって、ハブ１とプーリ２１の円周方向相対変位量の増大が制限されるので、第一弾性体２２が過大な捩り変形を受けることがなく、その破損を防止することができる。
【００３１】
ハブ１における小孔１ｄ及びプーリ２１における小孔２１ｄは、先に説明したように、それぞれ第一弾性体２２及び第二弾性体３２を加硫成形する際の材料充填口として開設されたものであるが、前記小孔１ｄ，２１ｄ内には、第二弾性体３２の一部及び第一弾性体２２の一部が入り込んだ状態に形成されるので、ハブ１及びプーリ２１に対する第一弾性体２２及び第二弾性体の接合強度が高いものとなる。
【００３２】
環状質量体３１及び第二弾性体３２で構成される動的吸振部３は、その背面側及び内周側が開放されているので、プーリによって断面コ字形に囲まれた従来の技術によるものに比較して第二弾性体３２からの放熱性が向上する。このため、蓄熱による第二弾性体３２の劣化を防止することができる。
【００３３】
第一弾性体２２は、第二弾性体３２と軸方向に並んでおり、ハブ１とプーリ２１を軸方向に連結しているので、従来のように第一弾性体と第二弾性体が径方向に並んで配置された場合に比較して、プーリ２１の外径寸法を小さくすることができ、小型・軽量化を図ることができる。
【００３４】
ハブ１とプーリ２１との円周方向相対変位量が同じである場合に受ける第一弾性体２２の歪は、ハブ１の円盤部１ａと、プーリ２１のフランジ部２１ｃとの間の軸方向肉厚が大きいほど小さくなる。そして、従来技術のように第一弾性体と第二弾性体が径方向に並び、第一弾性体がハブとプーリを径方向に連結している場合は、連結方向への第一弾性体の寸法が制約されるのに対し、本形態では、連結方向（軸方向）に対する第一弾性体２２の寸法、言い換えればハブ１の円盤部１ａとプーリ２１のフランジ部２１ｃとの軸方向距離を十分に大きくすることによって、第一弾性体２２の優れた耐久性を確保することができる。しかも、これによって第一弾性体２２の円周方向剪断ばね定数を低くできるので、トルク変動吸収性能（振動吸収性能）を向上することができる。
【００３５】
次に図４は、本発明に係るトルク変動吸収ダンパの好ましい第二の形態を、その軸心Ｏを通る平面で切断して示す半断面図である。この形態において、上述した第一の形態と異なるところは、ベアリング４が、プーリ２１におけるプーリ本体部２１ａの内周面と、ハブ１におけるリム部１ｃの外周面との間に介在された円筒状のラジアル受け部４ａと、その背面側の端部から内周側へ屈曲して前記リム部１ｃの背面側の端部とプーリ２１におけるカシメ部２１ｅの間に介在されたスラスト受け部４ｂからなる点にある。スラスト受け部４ｂは、円周方向分割形状となっており、それぞれ、ハブ１における突起部１ｅ，１ｅ，…間に挿入されている。
【００３６】
この第二の構成によれば、第一の形態による効果に加え、ベアリング４がラジアル受け部４ａにおいてプーリ２１を同心支持すると共にスラスト受け部４ｂによってハブ１とプーリ２１の軸方向挙動を防止するため、回転を一層安定させることができる。
【００３７】
【発明の効果】
以上説明したように、請求項１の発明に係るトルク変動吸収ダンパによれば、カップリング部が、第一弾性体がハブとプーリのフランジ部を軸方向に連結したものであるため、ハブとプーリとの連結方向（軸方向）に対する第一弾性体の十分な肉厚を確保して、その耐久性を向上することができ、しかも第一弾性体の円周方向剪断ばね定数を十分に低くしてトルク変動吸収性能を向上することができる。また、動的吸振部が、プーリのフランジ部と反対側にあって、第二弾性体がハブの軸方向他側に配置された環状質量体を弾性的に連結したものであるため、第二弾性体からの放熱性が良く、蓄熱による第二弾性体の劣化を防止することができる。
【００３８】
また、請求項２の発明に係るトルク変動吸収ダンパによれば、請求項１による効果に加え、第一弾性体の過大変形を防止する手段が、ハブのリム部の端部に形成された突起部を、プーリに形成された切欠部に円周方向適当なクリアランスをもって遊嵌したものであるため、ストッパピンを用いる場合に比較して部品及び組立工数を削減し、安価に提供することができる。
【図面の簡単な説明】
【図１】本発明に係るトルク変動吸収ダンパの好ましい実施の形態を、その軸心Ｏを通る平面で切断して示す断面図である。
【図２】図１におけるＩＩ方向の矢視図である。
【図３】図１のトルク変動吸収ダンパの組立過程を示す説明図である。
【図４】本発明に係るトルク変動吸収ダンパの他の好ましい実施の形態を、その軸心Ｏを通る平面で切断して示す半断面図である。
【符号の説明】
１  ハブ
１ａ  円盤部
１ｃ  リム部
１ｄ，２１ｄ  小孔
１ｅ  突起部
２  カップリング部
２１  プーリ
２１ａ  プーリ本体部
２１ｃ  フランジ部
２１ｅ  カシメ部
２１ｆ  切欠部
２２  第一弾性体
３  動的吸振部
３１  環状質量体
３２  第二弾性体
４  ベアリング
４ａ  ラジアル受け部
４ｂ  スラスト受け部
【図１】
2004340169.tif 000003
【図２】
2004340169.tif 000004
【図３】
2004340169.tif 000005
【図４】
2004340169.tif 000006